(57)【要約】【課題】  本発明は、雨や雪で濡れたレインウエアを室内で干す時、水滴で床が濡れるという課題を解決し、また、収納性や移動を容易にするために発明された、室内レインウエアハンガーを提供する。【解決手段】  四角形のフレーム（３）から複数の紐状体（２）を伸ばし、これら紐状体（２）をまとめ、そこにフック（１）を設け、前記四角形のフレーム（３）に渡す渡し棒（４）を設け、前記渡し棒（４）に２本のハンガー（５）を設け、前記四角形のフレーム（３）に複数の紐状体（６）を設け、これら紐状体（６）によって吊り下げられた水滴受け（７）を設けて課題を解決する室内レインウエアハンガーである。【選択図】図１
2008220896.tif 000002
【特許請求の範囲】
【請求項１】
フレーム（３）を設け、前記フレーム（３）から複数の紐状体（２）を伸ばし、これら紐状体（２）をまとめ、そこにフック（１）を設け、前記フレーム（３）に渡す渡し棒（４）を設け、前記渡し棒（４）にハンガー（５）を設け、前記フレーム（３）に複数の紐状体（６）を設け、これら紐状体（６）によって吊り下げられた水滴受け（７）を設けることを特徴とした室内レインウエアハンガー。
【請求項２】
フレーム（８）を設け、前記フレーム（８）に渡す渡し棒（９）を設け、フック（１０）を設け、前記フック（１０）と前記渡し棒（９）とをつなぎ、前記フレーム（８）に複数の紐状体（１１）を設け、これら紐状体（１１）によって吊り下げられた水滴受け（１３）を設けて、前記渡し棒（９）にハンガー（１２）を設けることを特徴とした室内レインウエアハンガー。
【請求項３】
フレーム（１４）を設け、前記フレーム（１４）に渡す渡し棒（１５）を設け、フック（１６）を設け、前記フック（１６）と前記フレーム（１４）とをつなぎ、前記フレーム（１４）に複数の紐状体（１７）を設け、これら紐状体（１７）によって吊り下げられた水滴受け（１９）を設けて、前記渡し棒（１５）にハンガー（１８）を設けることを特徴とした室内レインウエアハンガー。
【発明の詳細な説明】
【技術分野】
【０００１】  本発明は、室内でも雨や雪に濡れたレインウエアを干すことができるようにした室内レインウエアハンガーに関するものである。
【背景技術】
【０００２】  従来の技術では、レインウエアの水滴がしたたり、水滴で床がぬれるため外で干すしかなかった。【０００３】  また、特許文献１では、レインウエアを干す目的では無いのでレインウエアを干すハンガーが無く、また、水滴受けが無いのでレインウエアを干すには適さなかった。【０００４】  また、実用新案文献１では、考案の名称どおり、小物品を干すのには適しているが、丈が１メートルを超えるようなレインウエアの上着やズボンを干すには適さなかった。
また、仮にレインウエアを干すのに適した大きさにすると、装置の側面がケーシングや金網部材からなっている構造上、かさばり、床面積が大きくなる上、非常に重くなり場所と空間を取る欠点が生じ、又、収納に困り、持ち運びも不便になる欠点が生じることになるものと思われる。
【特許文献１】特開２００５−２１８８３５公報
【実用新案文献１】
実開平２−５５８９６公報
【発明の開示】
【発明が解決しようとする課題】
【０００５】  したがって従来の技術では、雨や雪に濡れたレインウエアを室内で干す場合、水滴がしたたり床が濡れてとても不都合であるという課題がある上、特許文献１の装置では、レインウエアを干す目的では無いのでレインウエアを干すハンガーが無く、また、水滴受けが無いのでレインウエアを干すには適さなかった。【０００６】  また、実用新案文献１の装置では側面がケーシングや金網部材からなっている構造上、丈が１メートルを超えるようなレインウエアを干すのに適した大きさにすると装置がかさばり、床面積も大きくなる上、非常に重くなり場所と空間を取る上、収納に困る課題及び持ち運びが不便になる課題があった。【０００７】  そこで、本発明は、水滴で床が濡れず、装置の大部分が紐状体からなる為、折りたためば驚異的にコンパクトに収納でき、鴨居やフック、物干し竿等に引っ掛けて吊るして使用するため床面積を取ることなく、軽量で容易に移動させることができる室内レインウエアハンガーを提供することを課題とする。
【課題を解決するための手段】
【０００８】  上記課題を解決するための手段として、フック（１）を設け、四角形であるフレーム（３）の中央の渡し棒（４）に２本のハンガー（５）を設け、前記四角形であるフレーム（３）の四隅に紐状体（６）を設け、その紐状体（６）に水滴受け（７）を設けて、レインウエアの水滴を受け取り、課題を解決するものである。【０００９】  請求項１の第１発明では、フレーム（３）を設け、前記フレーム（３）から複数の紐状体（２）を伸ばし、これら紐状体（２）をまとめ、そこにフック（１）を設け、前記フレーム（３）に渡す渡し棒（４）を設け、前記渡し棒（４）にハンガー（５）を設け、前記フレーム（３）に複数の紐状体（６）を設け、これら紐状体（６）によって吊り下げられた水滴受け（７）を設けることを特徴とした室内レインウエアハンガーである。【００１０】  請求項２の第２発明では、フレーム（８）を設け、前記フレーム（８）に渡す渡し棒（９）を設け、フック（１０）を設け、前記フック（１０）と前記渡し棒（９）とをつなぎ、前記フレーム（８）に複数の紐状体（１１）を設け、これら紐状体（１１）によって吊り下げられた水滴受け（１３）を設けて、前記渡し棒（９）にハンガー（１２）を設けることを特徴とした室内レインウエアハンガーである。【００１１】  請求項３の第３発明では、フレーム（１４）を設け、前記フレーム（１４）に渡す渡し棒（１５）を設け、フック（１６）を設け、前記フック（１６）と前記フレーム（１４）とをつなぎ、前記フレーム（１４）に複数の紐状体（１７）を設け、これら紐状体（１７）によって吊り下げられた水滴受け（１９）を設けて、前記渡し棒（１５）にハンガー（１８）を設けることを特徴とした室内レインウエアハンガーである。【００１２】  また、本発明は、フックと四角形であるフレーム、紐状体、ハンガー、水滴受けからなるので基本的に軽量であり、装置の大部分が紐状体から成り、折りたためば驚異的にコンパクトに収納ができ、また、フックを鴨居やフック、物干し竿等に引っ掛けて吊るすため、部屋の上部空間を有効に利用でき、床面積を取ることがない上、軽量なので持ち運びも容易に出来るようにして課題を解決するものである。
【発明の効果】
【００１３】  本発明の効果は、雨や雪で濡れたレインウエアを室内で干す場合、四角形であるフレームに設けられた複数の紐状体に吊るされた水滴受けにより水滴で床が濡れることを防ぐ上、雨の場合などで屋外に干せない場合や室内で早く乾かせたい場合に効果を発揮する。
また、濡れた衣服や水滴がしたたるものを干す場合にも効果を発揮する上、前述の用途以外にも、普段は衣服をかけるハンガーとしても流用できる。【００１４】  また、請求項１の本発明は、四角形であるフレーム（３）に設けられた複数の紐状体（６）によって吊るされた水滴受け（７）により水滴で床が濡れることを防ぐ上、フック（１）を鴨居や物干し竿等に引っ掛けて吊るすため、部屋の上部空間を有効に利用できる上、床面積を取ることなく、また、装置の大部分を紐状体（６）から構成されているので、折りたためば見かけ以上に驚異的にコンパクトに収納できる上、軽量であり移動させる場合も容易に移動できる極めて優れた効果をもたらす。【００１５】  また、請求項２の本発明は、四角形であるフレーム（８）に設けられた複数の紐状体（１１）によって吊るされた水滴受け（１３）により水滴で床が濡れることを防ぐ上、フック（１０）を鴨居や物干し竿等に引っ掛けて吊るすため、部屋の上部空間を有効に利用できる上、床面積を取ることなく、また、装置の大部分を紐状体（１１）から構成されているので、折りたためば見かけ以上に驚異的にコンパクトに収納できる上、軽量であり移動させる場合も容易に移動できる極めて優れた効果をもたらす。【００１６】  また、請求項３の本発明は、四角形であるフレーム（１４）に設けられた複数の紐状体（１７）によって吊るされた水滴受け（１９）により水滴で床が濡れることを防ぐ上、フック（１６）を前記四角形であるフレーム（１４）と直接つなぐことにより、壁に設けたフック等に引っ掛けて吊るすことが出来るため、鴨居や物干し竿等が無い部屋でも使用できる極めて優れた効果をもたらし、請求項１及び請求項２の発明では、四角形であるフレーム（３）又は（８）の中心にあるフック（１）又は（１０）から前記四角形であるフレーム（３）又は（８）の端までの距離、奥行きがあり、壁に設けたフック等にうまく引っ掛けて吊るすことは当該装置が傾いて不可能である。しかるに請求項３の本発明は、前記フック（１６）を前記四角形であるフレーム（１４）に直接つなぐことによって請求項１及び請求項２の発明では実施不可能な「壁掛け式」として使用できる極めて優れた効果をもたらす上、壁に設けたフック等に引っ掛けて吊るすため、部屋の上部空間を有効に利用できる上、床面積を取ることなく、また、装置の大部分を紐状体（１７）から構成されているので、折りたためば見かけ以上に驚異的にコンパクトに収納できる上、軽量であり移動させる場合も容易に移動できる極めて優れた効果をもたらす。
【発明を実施するための最良の形態】
【００１７】  この発明の一実施形態を図１に示す。
本発明の実施形態を述べると、請求項１の室内レインウエアハンガーを構成する各部は全て合成樹脂製で、四角形であるフレーム（３）の四隅に紐状体（２）を設け、上方に伸ばし、これらの紐状体（２）を前記四角形であるフレーム（３）中央でまとめて、そこにフック（１）を設け、前記フック（１）を鴨居や物干し竿等に引っ掛けて吊るし、前記四角形であるフレーム（３）の内側の中央部に渡す渡し棒（４）を設け、前記渡し棒（４）の下部に等間隔に２本のハンガー（５）を設けて、その内の１本のハンガーにレインウエアの上着を、もう１本のハンガーにズボンを干す。前記ハンガー（５）は折りたたみ式にしてもよい。さらに前記四角形であるフレーム（３）の四隅に紐状体（６）を設けて下方に伸ばし、これらの紐状体（６）によって吊り下げられた水滴受け（７）によってレインウエアの水滴を受ける室内レインウエアハンガーである。紐状体（６）の長さは１．３メートル程度でよく、また、水滴受け（７）の深さは０．０５メートル程度でよい。【００１８】  この発明の一実施形態を図２に示す。
請求項２の室内レインウエアハンガーを構成する各部は全て合成樹脂製で、四角形であるフレーム（８）の内側の中央に渡す渡し棒（９）を設け、前記渡し棒（９）の中央上部にフック（１０）を設け、前記フック（１０）を鴨居や物干し竿等に引っ掛けて吊るし、同じく前記渡し棒（９）の下部に等間隔に２本のハンガー（１２）を設けて、そのうちの１本にレインウエアの上着を、もう１本にズボンを干す。前記フック（１０）及び前記ハンガー（１２）は折りたたみ式にしてもよい。また、前記四角形であるフレーム（８）の四隅に紐状体（１１）を設けて下方に伸ばし、これらの紐状体（１１）によって吊り下げられた水滴受け（１３）によってレインウエアの水滴を受ける室内レインウエアハンガーである。紐状体（１１）の長さは１．３メートル程度でよく、また、水滴受け（１３）の深さは０．０５メートル程度でよい。【００１９】  この発明の一実施形態を図３に示す。
請求項３の室内レインウエアハンガーを構成する各部は全て合成樹脂製で、四角形であるフレーム（１４）の内側の中央に渡す渡し棒（１５）を設け、フック（１６）を設け、前記フック（１６）を前記四角形であるフレーム（１４）と前記渡し棒（１５）との交点に設け、前記フック（１６）を壁に設けたフック等に引っ掛けて吊るす。前記フック（１６）は前記四角形であるフレーム（１４）の両端に設けてもよい。前記渡し棒（１５）の下部に等間隔に２本のハンガー（１８）を設けて、そのうちの１本にレインウエアの上着を、もう１本にズボンを干す。前記フック（１６）及び前記ハンガー（１８）は折りたたみ式にしてもよい。前記四角形であるフレーム（１４）の四隅に紐状体（１７）を設けて下方に伸ばし、これらの紐状体（１７）によって吊り下げられた水滴受け（１９）によってレインウエアの水滴を受ける室内レインウエアハンガーである。紐状体（１７）の長さは１．３メートル程度でよく、また、水滴受け（１９）の深さは０．０５メートル程度でよい。【００２０】    水滴受け（１９）は、四角形であるフレーム（１４）の四隅に紐状体（１７）を設けて下方に伸ばし、これらの紐状体（１７）によって吊り下げられた水滴受け（１９）によって水滴を受ける水滴受け（１９）である。【００２１】  また、請求項３の本発明は、フック（１６）を四角形であるフレーム（１４）と直接つなぐことにより、壁に設けたフック等に引っ掛けて吊るすことが出来るため、鴨居や物干し竿等が無い部屋でも使用できる極めて優れた効果をもたらし、請求項１及び請求項２の発明では、四角形であるフレーム（３）又は（８）の中心にあるフック（１）又は（１０）から前記四角形であるフレーム（３）又は（８）の端までの距離、奥行きがあり、壁に設けたフック等にうまく引っ掛けて吊るすことは当該装置が傾いて不可能である。しかるに請求項３の本発明は、前記フック（１６）を前記四角形であるフレーム（１４）に直接つなぐことによって請求項１及び請求項２の発明では実施不可能な「壁掛け式」として使用できる極めて優れた効果をもたらす。
【図面の簡単な説明】
【００２２】
【図１】本発明の外観図
【図２】本発明の外観図
【図３】本発明の外観図
【符号の説明】
【００２３】      １はフック
２は紐状体
３はフレーム
４は渡し棒
５はハンガー
６は紐状体
７は水滴受け
８はフレーム
９は渡し棒
１０はフック
１１は紐状体
１２はハンガー
１３は水滴受け
１４はフレーム
１５は渡し棒
１６はフック
１７は紐状体
１８はハンガー
１９は水滴受け
【図１】
2008220896.tif 000003
【図２】
2008220896.tif 000004
【図３】
2008220896.tif 000005